(57)【特許請求の範囲】
【請求項１】
フィルムロールをフィルムロール収納箱に収納した、フィルムロール収納装置であって、
前記フィルムロールには、前記フィルムロール収納箱の内面の前板上端部と天板との間の隙間に引っ掛かって前記フィルムロールの回転を抑制する回転抑制部材が設けられており、
前記回転抑制部材は、前記フィルムロールの表面に固定された固定部と、前記フィルムロールの表面から離れた遊離部と、を有し、
前記遊離部の前記フィルムロール表面から突出する方向の長さは、前記遊離部のフィルムロール表面からの立ち上がり角度が９０°以下のときに前記遊離部がフィルムロール収納箱の内面に引っ掛かる長さである、フィルムロール収納装置。
【請求項２】
前記遊離部のループステフネスは、０．２Ｎ以上である、請求項１に記載のフィルムロール収納装置。
【請求項３】
前記回転抑制部材は、片面が粘着面となっており、
前記遊離部は、前記粘着面を内側に折り返して形成されている、請求項１又は２に記載のフィルムロール収納装置。
【請求項４】
前記回転抑制部材の固定部は、フィルムロールのフィルムの巻き終端部に固定されており、
前記回転抑制部材の遊離部は、前記フィルムを最初に引き出す時につまむ、つまみ部である、請求項１から３の何れか一項に記載のフィルムロール収納装置。
【請求項５】
前記フィルムロールのフィルム先端部の両端は、フィルムの巻き戻り方向へ向かって傾斜している、請求項１から４の何れか一項に記載のフィルムロール収納装置。
【請求項６】
前記遊離部の表面又は裏面には、凸部又は凹部を有する防滑部が設けられている、請求項１から５の何れか一項に記載のフィルムロール収納装置。
【請求項７】
前記遊離部のうち前記防滑部を除く部分は、一方の面に粘着面を形成するテープを折り返して前記粘着面同士を貼り合わせて形成され、
前記防滑部は、前記粘着面同士を貼り合わさずに形成されている、請求項６に記載のフィルムロール収納装置。
【請求項８】
前記防滑部は、前記遊離部の先端に形成されている、請求項６又は７に記載のフィルムロール収納装置。
【請求項９】
前記防滑部は、前記遊離部の両面に形成されている、請求項６から８の何れか一項に記載のフィルムロール収納装置。
【請求項１０】
前記遊離部には、前記フィルムロール収納箱の内面の前板上端部と天板との間の隙間に引っ掛かり、前記フィルムロールの回転を抑制する防滑部が設けられている、請求項１から９の何れか一項に記載のフィルムロール収納装置。
【請求項１１】
前記回転抑制部材の固定部は、フィルムロールのフィルムの巻き終端部に固定されており、
前記回転抑制部材の遊離部は、前記フィルムを最初に引き出す時につまむ、つまみ部であり、
前記遊離部の先端は、前記フィルムロール収納箱の内面の前板上端部と天板との間の隙間に引っ掛かり、前記フィルムロールが移送により生じる振動により前記フィルムロール収納箱内で動き回転しようとする時に前記遊離部の剛性で前記フィルムロールの回転を抑制し、
前記遊離部のループステフネスは、０．２Ｎ以上である、請求項１に記載のフィルムロール収納装置。
【発明の詳細な説明】
【技術分野】
【０００１】
本発明は、特に食品包装用のラップフィルム、アルミホイル、クッキングシート等（以下、「ラップフィルム」と称す。）を巻回して構成されたフィルムロールを、フィルムロール収納箱に収納した、フィルムロール収納装置に関する。
【背景技術】
【０００２】
通常、ラップフィルムは、紙製の芯体に巻回されてフィルムロールを構成し、当該フィルムロールは、紙製の直方体状のフィルムロール収納箱に収納されている。このフィルムロール収納箱は、通常、上面が開口しフィルムロールを収納する収納部と、当該上面開口を開閉する蓋部とを有し、フィルムロールの使用時には、ユーザが収納部内のフィルムロールからラップフィルムを引き出し、所望の長さで切って使用している。
【０００３】
ところで、フィルムロール収納装置の製造時には、フィルムロール収納箱内にフィルムロールが収納され、フィルムロール収納箱が封止される。このため、例えば消費者が、フィルムロール収納装置を購入し、初めて使用する際には、フィルムロール収納箱を開封し、フィルムロールのフィルム先端部を探し剥がして引っ張る必要がある。従来、フィルムロールのフィルム先端部を見つけやすく、また引っ張りやすくするため、フィルムロールのフィルム先端部に貼付帯を取り付けることが行われている（特許文献１参照）。また、輸送時の振動によるフィルムロール回転を抑制し貼付帯を見つけやすくする目的で、フィルムロール収納箱内面に溝やエンボスなどの凸凹を設けて貼付帯を引っ掛けることも行われている（特許文献２参照）。
【先行技術文献】
【特許文献】
【０００４】
【特許文献１】特開２００８−９４４５８号公報
【特許文献２】特開２０１５−３７４３号公報
【発明の概要】
【発明が解決しようとする課題】
【０００５】
しかしながら、特許文献１に開示のフィルムロール収納装置は、製造後初めて使用されるまでの移送により生じる振動により、フィルムロールがフィルムロール収納箱内で動いて回転し、フィルム先端部が箱の後板側や底板側に移動することが考えられる。かかる場合、フィルムロール収納箱を初めて開封したときに、フィルムロールの貼付帯の位置が分かり難く、フィルムロールを回転させ貼付帯を上にしてからラップフィルムを引き出す必要があり、使い勝手が悪い。また、特許文献２に開示のフィルムロール収納装置は、貼付帯を引っ掛けるためにフィルムロール収納箱内面に特別な加工が必要であるため、箱の強度維持や生産性の点で好ましくない。加えて箱の厚み以上の深さを持つ凸凹を形成しにくいため、貼付帯が引っ掛かりにくく、フィルムロールの回転抑制効果が不十分である。
【０００６】
本出願はかかる点に鑑みてなされたものであり、特別な加工を施さずにフィルムロール収納箱内のフィルムロールの回転を効果的に抑制することができ、フィルムロールの使用開始時の使い勝手を向上することをその目的とする。
【課題を解決するための手段】
【０００７】
本発明者は、鋭意研究を重ねた結果、フィルムロールに、フィルムロール収納箱の内面の、前板上端部と天板との間の隙間に引っ掛かって回転を抑制する回転抑制部材を設けることで上記課題が解決されることを見出し、本発明を完成するに至った。即ち、本発明の態様は以下を含む。
（１）フィルムロールをフィルムロール収納箱に収納した、フィルムロール収納装置であって、前記フィルムロールに、前記フィルムロール収納箱の内面の、前板上端部と天板との間の隙間に引っ掛かって前記フィルムロールの回転を抑制する回転抑制部材が設けられている、フィルムロール収納装置。
（２）前記回転抑制部材は、前記フィルムロールの表面に固定された固定部と、前記フィルムロールの表面から離れた遊離部を有する、（１）に記載のフィルムロール収納装置。
（３）前記遊離部のループステフネスが０．２Ｎ以上である、（２）に記載のフィルムロール収納装置。
（４）前記遊離部の前記フィルムロール表面から突出する方向の長さは、前記遊離部のフィルムロール表面からの立ち上がり角度が９０°以下のときに前記遊離部がフィルムロール収納箱の内面に引っ掛かる長さである、（２）又は（３）に記載のフィルムロール収納装置。
（５）前記回転抑制部材は、片面が粘着面となっており、前記遊離部は、前記粘着面を内側に折り返して形成されている、（２）〜（４）のいずれか１項に記載のフィルムロール収納装置。
（６）前記回転抑制部材の固定部がフィルムロールのフィルムの巻き終端部に固定されており、前記回転抑制部材の遊離部が、前記フィルムを最初に引き出す時につまむ、つまみ部である、（２）〜（５）のいずれか１項に記載のフィルムロール収納装置。
（７）前記フィルムロールのフィルム先端部の両端がフィルムの巻き戻り方向へ向かって傾斜している、（１）〜（６）のいずれか１項に記載のフィルムロール収納装置。
（８）前記遊離部には、厚み方向に凸部又は凹部を有する防滑部が設けられている、（２）〜（６）のいずれか１項に記載のフィルムロール収納装置。
（９）前記遊離部のうち前記防滑部を除く部分は、一方の面に粘着面を形成するテープを折り返して前記粘着面同士を貼り合わせて形成され、前記防滑部は、前記粘着面同士を貼り合わさずに形成されている、（８）に記載のフィルムロール収納装置。
（１０）前記防滑部が、前記遊離部の先端に形成されている、（８）又は（９）に記載のフィルムロール収納装置。
（１１）前記防滑部が、前記遊離部の両面に形成されている、（８）〜（１０）のいずれか１項に記載のフィルムロール収納装置。
（１２）前記遊離部には、前記フィルムロール収納箱の内面の、前板上端部と天板との間の隙間に引っ掛かり、もしくは前記フィルムロール収納箱の内面との摩擦力上昇により、前記フィルムロールの回転を抑制する防滑部が設けられている、（２）〜（６）のいずれか１項に記載のフィルムロール収納装置。
【発明の効果】
【０００８】
本発明によれば、特別な加工を施さずにフィルムロール収納箱内のフィルムロールの回転を効果的に抑制でき、フィルムロールの使用開始時の使い勝手を向上できる。
【図面の簡単な説明】
【０００９】
【図１】本発明のフィルムロール収納装置の概略を示す斜視図である。
【図２】フィルムロールとフィルムロール収納箱を示す斜視図である。
【図３】フィルムロール収納箱の展開図である。
【図４】フィルムロール収納箱の蓋部を閉じた状態のフィルムロール収納装置の斜視図である。
【図５】フィルムロール収納装置の断面図である。
【図６】前板の正面図である。
【図７】前板に凹部を設けた従来のフィルムロール収納装置の断面を参考として示す図である。
【図８】天板に凹部を設けた従来のフィルムロール収納装置の断面を参考として示す図である。
【図９】防滑部の変形例を示す断面図である。
【発明を実施するための形態】
【００１０】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１１】
図１は、フィルムロール１がフィルムロール収納箱２に収容された状態のフィルムロール収納装置３を示す斜視図である。図２は、フィルムロール１とフィルムロール収納箱２を示す斜視図である。図３は、フィルムロール収納箱２の表面側の展開図である。図４は、フィルムロール収納箱２の蓋部が封止された状態の使用前のフィルムロール収納装置３を示す斜視図である。
【００１２】
フィルムロール収納装置３は、図１に示すフィルムロール１と、フィルムロール収納箱２を有している。
【００１３】
フィルムロール１は、図２に示すように例えば透明のラップフィルム１０が円筒状の芯体１１に巻かれて構成されている。使用前（製造後初めてラップフィルム１０が引き出される前）のフィルムロール１には、回転抑制部材としての小片２０が取り付けられている。小片２０は、例えばフィルムロール１の表面の中央部のラップフィルム１０の先端部に取り付けられている。
【００１４】
小片２０は、例えば樹脂製或いは紙製の長方形の板状部材であり、図１、図２及び図５に示すようにフィルムロール１の表面に固定された固定部２０ａと、フィルムロール１の表面から離れた遊離部２０ｂを有している。小片２０は、例えば片面が粘着面となっており、固定部２０ａがフィルムロール１のラップフィルム１０の先端部に粘着され、遊離部２０ｂは、粘着面を内側に折り返して形成されている。よって、遊離部２０ｂは、固定部２０ａよりも厚くなっている。このように構成すると、遊離部２０ｂの剛性が飛躍的に向上し、遊離部２０ｂの剛性向上と固定部２０ａのロールへの固定しやすさという相反する性質を両立できるため好ましい。
【００１５】
遊離部２０ｂは、十分な剛性と長さを有している。例えば遊離部２０ｂは、０．２Ｎ以上、好ましくは０．３Ｎ以上、より好ましくは０．４Ｎ以上のループステフネスを備えている。これにより、遊離部２０ｂは、フィルムロール収納箱２の内面に引っ掛かったときにその剛性でフィルムロール１の回転を抑制できる。なお、遊離部２０ｂの例えば先端に防滑部２０１が設けられている場合には、防滑部２０１がフィルムロール収納箱２の内面に引っ掛かったときにその剛性でフィルムロール１の回転を抑制する。また、遊離部２０ｂは、フィルムロール１の表面から突出する方向に、遊離部２０ｂのフィルムロール表面からの立ち上がり角度が９０°以下のときに遊離部２０ｂがフィルムロール収納箱２の内面に引っ掛かる長さを有している。遊離部２０ｂは、好ましくは立ち上がり角度が６０°以下のときに遊離部２０ｂがフィルムロール収納箱２の内面に引っ掛かる長さであり、より好ましくは立ち上り角度が０°〜２０°のときに遊離部２０ｂがフィルムロール収納箱２の内面に引っ掛かる長さであり、最も好ましくは立ち上がり角度が１０°のときに遊離部２０ｂがフィルムロール収納箱２の内面に引っ掛かる長さである。これにより、遊離部２０ｂは、フィルムロール収納箱２の内面に確実に接触して引っ掛かりフィルムロール１の回転を抑制できる。なお、ループステフネスは、東洋精機製作所製のループステフネステスタにて、２３℃５０％ＲＨ雰囲気下、ループ長５０ｍｍ、押し込み速度５ｍｍ/ｓｅｃ、押し込み量１０ｍｍの条件で測定する。
【００１６】
遊離部２０ｂについて更に説明する。遊離部２０ｂのうち防滑部２０１を除く部分は、片面に粘着面が形成されたテープを折り返して粘着面同士を貼り合わせることにより形成され、防滑部２０１は、テープの粘着面同士を貼り合わさずに形成されている。図５に示す例では、遊離部２０ｂの先端に、粘着面同士を貼り合わさずに形成された防滑部２０１が設けられ、この防滑部２０１は、断面視において遊離部２０ｂの厚み方向（図５では上下方向）に膨らむ形状を有している。言い換えれば、図５に示す防滑部２０１は、遊離部２０ｂの表面又は裏面に対して凸の形状を有している。
【００１７】
このように、粘着面同士を貼り合わさずに防滑部２０１を形成することで、その外観により防滑部２０１の視認性を向上させることができ、防滑部２０１を使用者の指先で摘んで引き出す作業を容易にすることが可能である。また、防滑部２０１がフィルムロール表面から浮き上がりやすく、目が不自由な使用者でも的確に遊離部を摘めるという利点もある。また、防滑部２０１を汎用のテープで加工できるという利点もある。更に、図５に示すように、防滑部２０１を遊離部２０ｂの先端に形成することで、特に防滑部２０１を摘みやすくすることができ、指先で引き出す作業を容易にすることができる。
【００１８】
上述した防滑部２０１の変形例について説明する。図９は、防滑部２０１の変形例を説明するための図である。なお、図９においては、説明の便宜のため、フィルムロール１を収納するフィルムロール収納箱２等についての図示を省略している。
【００１９】
防滑部２０１としては、遊離部２０ｂの表面又は裏面に対して凸の形状、或いは、遊離部２０ｂの表面又は裏面に対して凹の形状を呈していれば、種々の形状が選択可能である。例えば、図９（Ａ）に示すように、遊離部２０ｂの先端に設けられる凸部２０１ａと、遊離部２０ｂ途中部分の表面に、上方側に断面視山形状の複数の凸部２０１ｂにより、防滑部２０１を構成しても良い。また、図９（Ｂ）に示すように、遊離部２０ｂ途中部分の両面に、断面視山形状の複数の凸部２０１ｂにより、防滑部２０１を構成しても良い。また、図９（Ｃ）に示すように、遊離部２０ｂ途中部分の表面に、断面視山形状の複数の凸部２０１ｃを形成し、遊離部２０ｂ途中部分の裏面に、断面視山形状の複数の凸部２０１ｃを形成し、当該表面又は裏面に形成したそれぞれの凸部２０１ｃを前後方向（図９では左右方向）にずらした位置としたものを防滑部２０１としても良い。また、図９（Ｄ）に示すように、遊離部２０ｂの表面に、上方側に凸に湾曲した凸部２０１ｄにより防滑部２０１を構成しても良い。また、図９（Ｅ）に示すように、遊離部２０ｂの表面又は裏面に対して凸に湾曲した複数の凸部２０１ｅにより、防滑部２０１を構成しても良い。更に、図９（Ｆ）に示すように、遊離部２０ｂの表面又は裏面に対して凹の形状に加工した凹部２０１ｆを複数有するものを防滑部２０１としても良い。また、図９（Ｇ）に示すように、遊離部２０ｂの表面又は裏面に、エンボス加工２０１ｇを施したものを防滑部２０１としても良い。また、遊離部２０ｂの表面又は裏面に、ストライプ状、格子状、水玉状などに防滑ニスを塗布したり、発泡インキや粒子入り塗料を塗布することで、防滑部２０１としても良い。
【００２０】
以上説明した防滑部２０１の変形例では、例えば図９（Ｂ）では、遊離部２０ｂの両面に凸部２０１ｂが４つ形成された例が示されているが、上述した凸部２０１ａ〜２０１ｅ、凹部２０１ｆの個数や形状等は、図９に示した例に限定されない。つまり、防滑部２０１としては、指先で遊離部２０ｂの一部を摘んだ際に、摘んだ指先で滑ることを抑制する機能を有していれば、その形状や個数は適宜選択することが可能である。
【００２１】
なお、小片２０の固定部２０ａは、１０ｍｍ〜１５０ｍｍ程度の長さを有している。生産時及び輸送時にフィルムロール上から脱落せず、かつフィルム使用時にはフィルムから剥がしやすいよう、固定部２０ａのロールからの剥離力を勘案し適宜長さを選択すると良い。また、小片２０全体は、フィルムロール１の外周の１/４以上、好ましくは１／２以上の長さを有している。
【００２２】
図１〜図４に示すようにフィルムロール収納箱２は、全体が直方体形状を有し、蓋部３０と、収納部３１を有している。蓋部３０は、例えば掩蓋片４０、天板４１及び脇掩蓋片４２等を有している。収納部３１は、前板５０、底板５１、後板５２、脇板５３及びフラップ５４等を有している。
【００２３】
収納部３１は、上面開口３１ａを有する直方体状に形成され、フィルムロール１を上面から収納できる。前板５０は、ラップフィルムが引き出される側すなわち前側に配置された部分であり、例えば図６に示すように細長の略長方形状を有している。前板５０の上端部６０は、小片２０の引掛り部、ないしは該引掛り部を構成する部材として機能する。すなわち、前板上端部６０は、図５に示したように蓋部３０が閉じたときに、天板４１との間で隙間ができ、ここに、小片２０の遊離部２０ｂの先端が引っ掛かる。
【００２４】
蓋部３０の天板４１は、後板５２の上端縁から前方に延びて収納部３１の上面開口３１ａを覆っている。掩蓋片４０は、天板４１の前端縁から前板５０側に延びて前板５０の前面を覆っている。掩蓋片４０の先端部の裏側には、収納部３１のフィルムロール１から引き出されたラップフィルム１０を切断する鋸刃７０が設けられている。
【００２５】
図４に示すようにフィルムロール収納装置３が使用される前は、フィルムロール収納箱２の蓋部３０が開封片８０によって封止されている。開封片８０は、収納部３１の前板５０の前面下部に位置し、フィルムロール収納箱２の長手方向に沿って帯状に形成されている。開封片８０は、掩蓋片４０の先端に切り取り可能に連結されている。また、開封片８０は、前板５０の表面に対して接着されている。フィルムロール収納箱２の開封時には、開封片８０を箱の長手方向に沿って切り取ることで蓋部３０を開封することができる。
【００２６】
なお、フィルムロール収納箱２を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２７】
工場等で製造された使用前（開封前）のフィルムロール収納装置３は、図４及び図５に示したようにフィルムロール１がフィルムロール収納箱２内に収納された状態で封止されている。フィルムロール収納装置３は、ユーザによって使用されるまでこの状態で移送される。このときの移送により生じる振動により、フィルムロール１は、フィルムロール収納箱２内で動き回転しようとするが、フィルムロール１の表面に取り付けられた小片２０の遊離部２０ｂが、フィルムロール収納箱２の内面に引っ掛かりその回転を抑制する。遊離部２０ｂは、例えばフィルムロール収納箱２の内面にある前板５０の上端部６０に引っ掛かる。なお、防滑部２０１が遊離部２０ｂの例えば先端に設けられている場合には、防滑部２０１が、例えばフィルムロール収納箱２の内面にある前板５０の上端部６０に引っ掛かりその回転を抑制する。また、防滑部２０１が遊離部２０ｂの表面に設けられている場合には、防滑部２０１とフィルムロール収納箱２の内面との摩擦力が大きくなり、その回転を抑制する。また、小片２０の遊離部２０ｂは、予め前板上端部６０に引っ掛かっていてもよいし、フィルムロール１の動きに応じて事後的に前板上端部６０に引っ掛かってもよい。その後、フィルムロール収納箱２を開封した後は、小片２０を引っ張ってフィルムロール１からラップフィルム１０を引き出して使用する。
【００２８】
本実施の形態によれば、使用前のフィルムロール１の表面に、フィルムロール収納箱２の内面に引っ掛かってフィルムロール１の回転を抑制する小片２０が設けられている。これにより、移送時のフィルムロール収納箱２内のフィルムロール１の回転を抑制でき、フィルムロール１のラップフィルム１０の先端部（小片２０）を上面に位置させておくことができるので、ラップフィルム１０が引き出し易くなり、フィルムロール１の使用開始時の使い勝手を向上できる。
【００２９】
小片２０が、固定部２０ａと遊離部２０ｂを有し、遊離部２０ｂがフィルムロール収納箱２の内面に引っ掛かるようにしたので、フィルムロール収納箱２から遊離部２０ｂにかかる反力を固定部２０ａを介してフィルムロール１に適切に伝えることができ、フィルムロール１の回転を適切に抑制できる。また、例えば小片２０を、最初にラップフィルム１０の引き出す際に引っ張るガイドとしても使用できる。
【００３０】
遊離部２０ｂがフィルムロール収納箱２の前板５０に引っ掛かるようにしたので、例えばフィルムロール収納箱２を開封したときに、小片２０がフィルムロール１の上面に位置している。これにより、小片２０をつまんで引っ張りやすい位置に維持することができる。
【００３１】
防滑部２０１を含む遊離部２０ｂのループステフネスが０．２Ｎ以上であるので、遊離部２０ｂの十分な剛性が確保され、フィルムロール１の回転を適切に抑制できる。また、
防滑部２０１の十分な剛性が確保され、使用者が指で防滑部２０１を摘んだとしても、防滑部２０１がつぶれることを抑制することができる。
【００３２】
また、遊離部２０ｂには、フィルムロール収納箱２の内面の、前板上端部６０と天板４１との間の隙間に引っ掛かり、もしくは前記フィルムロール収納箱の内面との摩擦力上昇により、フィルムロール１の回転を抑制する防滑部２０１が設けられている。これにより、移送時のフィルムロール収納箱２内のフィルムロール１の回転を抑制でき、フィルムロール１のラップフィルム１０の先端部（小片２０の防滑部２０１）を上面に位置させておくことができるので、ラップフィルム１０を引き出し易くなり、フィルムロール１の使用開始時の使い勝手を向上させることができる。
【００３３】
特に、遊離部２０ｂにおける防滑部２０１がフィルムロール収納箱２の内面に引っ掛かり、もしくは前記フィルムロール収納箱の内面との摩擦力が上昇するようにしたので、フィルムロール収納箱２から防滑部２０１を含む遊離部２０ｂにかかる反力を、固定部２０ａを介してフィルムロール１に適切に伝えることができ、フィルムロール１の回転を適切に抑制できる。
【００３４】
なお、遊離部２０ｂのループステフネスが０．２Ｎ以上であればロールの回転を抑制でき、巾が１０ｍｍの場合のループステフネスが１．５Ｎ以下であれば、小片２０の剛性により小片がロール表面から浮き上がり剥がれてしまう恐れが少ない。小片２０のロール表面からの剥がれを防ぐために小片２０のロールへの貼付を強くすることも有効であるが、強くしすぎると小片２０をフィルムから剥がす際にフィルムが破けてしまい、使い勝手が悪い。また、フィルムロールの重量が重いほど遊離部２０ｂに必要とされる剛性も高くなるので、回転抑制効果と使い勝手、コストを勘案し、上記範囲から適宜選択すると良い。
【００３５】
遊離部２０ｂの巾（突出方向の直角方向の長さ）は回転抑制の点から箱内部に確実に引っかからせるため５ｍｍ以上が好ましい。フィルム引出片としても利用する際は、つまみやすさの点から５〜３０ｍｍが好ましい。遊離部２０ｂの巾とループステフネス剛性はほぼ比例の関係にあるため、ループステフネス剛性を調整するために遊離部２０ｂの巾を適宜調整しても良い。
【００３６】
遊離部２０ｂがフィルムロール収納箱２の内面に確実に引っ掛かる長さとは、遊離部２０ｂのフィルムロール１表面からの立ち上がり角度が９０°以下のときに遊離部２０ｂがフィルムロール収納箱２の内面に引っ掛かる長さを意味する。立ち上がり角度とは、遊離部２０ｂとフィルムロール１表面の接点における接線に対して、遊離部２０ｂが為す角度である。遊離部２０ｂは、立ち上がり角度が６０°以下のときに遊離部２０ｂがフィルムロール収納箱２の内面に引っ掛かる長さがより好ましく、立上り角度が０°〜２０°のときに遊離部２０ｂがフィルムロール収納箱２の内面に引っ掛かる長さが更に好ましく、立上り角度が１０°のときに遊離部２０ｂがフィルムロール収納箱２の内面に引っ掛かる長さが最も好ましい。
【００３７】
例えば外径４０．５ｍｍのフィルムロールを、高さ方向の内径が４２．１ｍｍ、奥行方向の内径が４３．３ｍｍのフィルムロール収納箱２に入れる場合には、長さ２３ｍｍの遊離部２０ｂが、フィルムロール１の表面からの立ち上がり角度が１０°となり、回転抑制の点で最も好ましい。遊離部２０ｂが、立ち上がり角度９０°以下のときに遊離部２０ｂがフィルムロール収納箱２の内面に引っ掛かる長さの場合、フィルムロール収納箱２へ引っ掛かることができ、回転抑制効果が得られる。
【００３８】
前板上端部６０等で構成される引掛り部は遊離部２０ｂが引っ掛かって回転を抑制できる形状であれば良い。引っ掛かり部の巾及び高さは遊離部２０ｂの巾及び厚みよりも長ければ良い。引っ掛かり部の奥行は、例えば前板５０上端部６０と天板４１の間の隙間を引掛り部として用いる場合には、１ｍｍ以上あれば回転抑制効果が高く、好ましい。
【００３９】
本発明の小片付フィルムロールは、既知の方法などにより収容箱に収容されたのち消費者の手元に渡る。小片２０をフィルム引出手段に用いる場合に、あらかじめ小片２０を収容箱の開口面側に向けて収容することで、輸送中の回転を抑制し、消費者が箱を開封した際にフィルム引出手段を容易に発見することができるため、好ましい。また、収容後に収容箱ごと振動させて小片付フィルムロールを好ましい位置まで回転させても良い。
【００４０】
フィルムロール１のフィルム先端部は、幅方向の両端が、フィルムの巻き戻り方向へ向かって傾斜するように形成されていてもよい。より具体的には、フィルムロール１のフィルム先端部が、幅方向中心から両端に向かうにつれて巻き戻り方向へ後退するように傾斜していてもよい。こうすることで、その外観によりフィルム引出手段を更に容易に発見できるとともに、フィルム引出途中にフィルム両端がフィルムロール１に巻き込まれて引き出せないといったトラブルも軽減できる。フィルム先端部の両端をフィルムの巻戻り方向へ向かって傾斜するように形成する方法としては、フィルム先端を巻き方向に対して傾斜した形状に切断する方法や、フィルム先端を巻き方向に対して切断したのち、ローラやガイド板、エア吹付等を用いて好ましい形に折り返す方法等が用いられる。
【００４１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４２】
例えば小片２０の数、形状、位置は、上記実施の形態のものに限られない。例えば小片２０は、複数あってもよい。小片２０の形状も方形の板状に限られず、楕円状等であってもよい。また、小片２０の位置は、フィルムロール１の長手方向の中央部に限られず、両端付近にあってもよい。また、回転抑制部材は、ラップフィルム１０を引き出すためにフィルム先端部に取り付けられたガイドとして機能するものでなくてもよく、かかる場合、当該ガイドとは別にフィルムロール１に設けられてもよい。
【００４３】
その他、フィルムロール収納箱２等も他の構成を有するものであってもよい。例えばフィルムロール１が箱内で逆回転（繰り出し方向と逆方向への回転）することを防ぐ手段を設けたフィルムロール収納箱や、内面に不滑層を設けたフィルムロール収納箱などと組み合わせることで更に回転抑制効果が高まる。
【００４４】
また、回転抑制部材の素材は、樹脂、紙、板材の他、特に限定しない。貼付手段は自己粘着性を有するテープやラベルを用いるほか既知の方法を用いることができる。固定部と遊離部が別の素材でも構わない。フィルム引出片（小片）としても利用する場合には素材は樹脂や板材などちぎれが発生しにくい素材が好ましい。特にＰＰ、ＰＥＴ、ポリエチレンクロス等が安価で好ましい。
【００４５】
また、回転抑制部材の収容箱内に相対する側の面に不滑処理を施すことで、更に回転抑制効果を高めることもできる。
【実施例１】
【００４６】
以下、本発明の実施例について説明するが、これらは本発明の範囲を制限するものではない。
【００４７】
（ループステフネス剛性）
東洋精機製ループステフネステスタにて、２３℃５０％ＲＨ雰囲気下で、ループ長５０ｍｍ、押し込み速度５ｍｍ/ｓｅｃ、押し込み量１０ｍｍの条件で５回測定し、５回の平均値をそのループステフネス剛性とした。
【００４８】
（回転防止率）
アイデックス社製輸送包装試験機ＢＦ−５０ＵＴにサランラップ（登録商標、旭化成ホームプロダクツ（株）社製）３０ｃｍ×５０ｍが３０本入った段ボールケースを固定し、小片がついていない場合にロールが箱内で正方向（繰り出し方向）へ回転することをあらかじめ確認しておき、小片を付けて周波数４０Hz、加速度３Ｇで１分間振動させ、１０本中何本回転しなかったかで回転防止率を算出した。
【００４９】
実験条件及び実験結果は、下記の表１、表２に示す。
【００５０】
【表１】
0006636811.tif 000002
【００５１】
【表２】
0006636811.tif 000003
【００５２】
小片の遊離部の長さが短く、遊離部が収納箱に引っ掛からない場合には、フィルムロールの回転を防止できないが、遊離部が収納箱に引っ掛かる場合には、回転を抑制できることが確認できる。ループステフネス最適範囲は、遊離部（防滑部を含む）を形成するテープのループステフネスが０．２Ｎ以上、より好ましくは０．３Ｎ以上、更に好ましくは０．４Ｎ以上であった。遊離部の立上り角度は、９０°以下、さらに６０°以下がより好ましく、０°〜２０°が更に好ましく、１０°が最も好ましかった。
【産業上の利用可能性】
【００５３】
本発明は、特別な加工を施さずにフィルムロール収納箱内のフィルムロールの回転を効果的に抑制し、さらには、つまみ部がつまみやすい位置に来るようフィルムロールを誘導し、適切な引出方向を視認させることが可能となるので、フィルムロールの使用開始時の使い勝手を向上する際に有用である。
【符号の説明】
【００５４】
１  フィルムロール
２  フィルムロール収納箱
３  フィルムロール収納装置
１０  ラップフィルム
２０  小片（回転抑制部材）
２０ａ  固定部
２０ｂ  遊離部
３０  蓋部
３１  収納部
４１  天板
５０  前板
６０  前板上端部
２０１  防滑部
【図１】
0006636811.tif 000004
【図２】
0006636811.tif 000005
【図３】
0006636811.tif 000006
【図４】
0006636811.tif 000007
【図５】
0006636811.tif 000008
【図６】
0006636811.tif 000009
【図７】
0006636811.tif 000010
【図８】
0006636811.tif 000011
【図９】
0006636811.tif 000012